(57)【特許請求の範囲】
【請求項１】
車両における車室前方のエンジンルームに、出力軸が車幅方向に延びるようにエンジンを横置き搭載し、このエンジンに対し車体前側にラジエータを配置するとともに、少なくともエンジン上部を覆うように遮音カバーを配設したエンジンの遮音構造において、
前記エンジンとラジエータとの間に、該エンジンへ高圧の燃料を供給する燃料供給系が配置され、
前記エンジン内の冷却水通路と前記ラジエータとを接続する弾性部材からなる冷却水ホースが、前記燃料供給系のラジエータ側に隣接して設けられ、
前記遮音カバーは、樹脂製の外側カバー部材と、該外側カバー部材の内側に固定されたウレタン製の内側遮音部材とからなり、前記燃料供給系の上方も覆うように設けられるとともに、前記外側カバー部材及び内側遮音部材のうち、少なくとも内側遮音部材の周縁部が前記冷却水ホースにより当接状態で支持されており、
さらに、前記内側遮音部材の周縁部には、前記冷却水ホースとの当接部位よりもラジエータ側において該冷却水ホースよりも下方まで延びて、前記燃料供給系の少なくとも一部をラジエータからの熱風から遮蔽するように壁部が設けられていることを特徴とする横置き搭載エンジンの遮音構造。
【請求項２】
請求項１において、
燃料供給系は高圧燃料噴射ポンプを有し、
冷却水ホースが前記高圧燃料噴射ポンプの近傍に配置されるとともに、該高圧燃料噴射ポンプの少なくとも上方が内側遮音部材で覆われていることを特徴とする横置き搭載エンジンの遮音構造。
【請求項３】
請求項１において、
エンジンは、気筒内燃焼室に燃料を直接噴射するインジェクタを備えた直噴ディーゼルエンジンであり、
燃料供給系は、前記インジェクタに接続されたコモンレールを有し、
冷却水ホースが前記コモンレールの近傍に配置されるとともに、該コモンレールの少なくとも上方が内側遮音部材で覆われていることを特徴とする横置き搭載エンジンの遮音構造。
【請求項４】
請求項１又は２のいずれかにおいて、
遮音カバーをエンジンに固定するためのマウント部材が設けられ、
前記マウント部材は、遮音カバーの外側カバー部材及び内側遮音部材を重ねて貫通するカラー部材と、このカラー部材に内挿されかつエンジンに締結される締結ボルトとを有し、
前記カラー部材の一端側が前記外側カバー部材の貫通孔に内嵌合される一方、該カラー部材の他端部には、内側遮音部材を外側カバー部材に対し保持する保持部が設けられていることを特徴とする横置き搭載エンジンの遮音構造。
【発明の詳細な説明】
【０００１】
【発明の属する技術分野】
本発明は、車両に横置き搭載されたエンジンからの放射音を遮断するための遮音構造に関する技術分野に属する。
【０００２】
【従来の技術】
従来より、例えば実開平１―６６４３９号公報に示されるように、車両に搭載されるエンジンのシリンダヘッドカバー（動弁室カバー）の上面に遮音カバーを取付固定し、この遮音カバーによってエンジンからの放射音を低減するようにしたものが知られている。
【０００３】
【発明が解決しようとする課題】
ところで、ディーゼルエンジンにおいては、そのエンジンにより駆動される燃料噴射ポンプ（燃料噴射ポンプ）が付設されており、この燃料噴射ポンプがエンジンのクランク軸の回転に同期して作動されることで、エンジンの各気筒毎の噴射ノズルに高圧の燃料が供給されるようになっている。
【０００４】
しかし、気筒内燃焼室に燃料を直接噴射するいわゆる直噴ディーゼルエンジンでは、副室に燃料を噴射する副室式ディーゼルエンジンに比べ、その燃料噴射圧が高いので、燃料噴射ポンプ自体が発する音（例えばスピルバルブの着座音等）も大きくなり、このポンプの作動音が騒音として車室内に侵入したり、車外に漏れたりするという問題がある。
【０００５】
また、前記直噴ディーゼルエンジンにおいて、気筒内燃焼室に臨むようにインジェクタを設け、このインジェクタに対しコモンレールに蓄えた高圧の燃料を供給するいわゆる蓄圧式燃料供給系を備えたものでは、インジェクタの芯弁の着座音等がコモンレールを介して放射されるため、騒音がさらに大きくなる虞れがある。
【０００６】
本発明は斯かる点に鑑みてなされたものであり、その目的とするところは、前記のようにエンジンを車両に横置き搭載する場合に、騒音の放射源となる燃料供給系やその放射音を遮断するための遮音カバーの配置構成に工夫を凝らすことで、簡易かつ低コストでありながら、車室内に侵入したり車外に漏れたりする騒音を効果的に低減できる遮音構造を提供することにある。
【０００７】
【課題を解決するための手段】
前記の目的を達成すべく、この発明では、横置き搭載エンジンの車体前後方向の一側には、通常、ラジエータが配置されていることに着目し、このラジエータとエンジンとを接続する冷却水ホースを有効利用して、主に燃料供給系から放射される騒音の遮断を図るようにした。
【０００８】
具体的に、請求項１の発明では、車両における車室前方のエンジンルームに、出力軸が車幅方向に延びるようにエンジンを横置き搭載し、このエンジンに対し車体前後方向の一側にラジエータを配置するとともに、少なくともエンジン上部を覆うように遮音カバーを配設したエンジンの遮音構造を前提とする。そして、前記エンジンとラジエータとの間に、該エンジンへ高圧の燃料を供給する燃料供給系を配置し、前記エンジン内の冷却水通路と前記ラジエータとを接続する弾性部材からなる冷却水ホースを、前記燃料供給系のラジエータ側に隣接して設けるとともに、前記遮音カバーは、樹脂製の外側カバー部材と、該外側カバー部材の内側に固定されたウレタン製の内側遮音部材とからなるものとし、前記燃料供給系の上方も覆うように設けるとともに、前記外側カバー部材及び内側遮音部材のうち、少なくとも内側遮音部材の周縁部を、前記冷却水ホースにより当接状態で支持させ、さらに、前記内側遮音部材の周縁部には、前記冷却水ホースとの当接部位よりもラジエータ側において該冷却水ホースよりも下方まで延びて、前記燃料供給系の少なくとも一部をラジエータからの熱風から遮蔽するように壁部を設ける構成とする。
【０００９】
前記の構成により、燃料供給系の上方が、エンジン上部からラジエータ側に延びる遮音カバーにより覆われるとともに、該燃料供給系のラジエータ側に隣接するように冷却水ホースが配設され、この冷却水ホースによって、前記遮音カバーの周縁部が当接状態で保持されている。すなわち、騒音の放射源である燃料供給系を遮音カバーと冷却水ホースとによって、上方から側方に亘って包み込むような構造になっているので、燃料供給系から放射される騒音を効果的に減衰遮断することができる。
【００１０】
しかも、冷却水ホースは弾性部材からなるものなので、この冷却水ホースに遮音カバーを押し付けることで、該遮音カバーを安定して保持するとともに、走行風等による遮音カバーの振動を抑えて、びびり音の発生を防止することができる。また、そのように、特別の部材を別途に用いることなく、既存の冷却水パイプを遮音カバーの保持部材として有効利用するとともに、その冷却水ホース自体によっても騒音を減衰遮断するようにしているので、前記の作用効果を容易にかつ低コストで実現できる。
【００１１】
さらに、遮音カバーを、樹脂製の外側カバー部材と、該外側カバー部材の内側に固定されたウレタン製の内側遮音部材とからなるものとし、該外側カバー部材及び内側遮音部材のうち、少なくとも内側遮音部材の周縁部を冷却水ホースに当接させているので、ウレタン製の内側遮音部材により騒音を極めて効果的に減衰遮断することができるとともに、内側遮音部材を冷却水ホースに当接させることで、遮音カバー保持性能の向上が図られ、かつ冷却水ホースまでを含めた騒音の減衰遮断性能もさらに高まる。
【００１２】
加えて、内側遮音部材の周縁部には、冷却水ホースとの当接部位よりもラジエータ側において該冷却水ホースよりも下方にまで延びる壁部を設けて、燃料供給系の少なくとも一部をラジエータからの熱風から遮蔽するようにしているので、燃料噴射系の温度上昇を抑制することもできる。
【００１３】
請求項２の発明では、燃料供給系は高圧燃料噴射ポンプを有するものであり、冷却水ホースは前記高圧燃料噴射ポンプの近傍に配置するとともに、該高圧燃料噴射ポンプの少なくとも上方を内側遮音部材で覆う構成とする。この構成により、高圧燃料噴射ポンプから発せられる大きな作動音を効果的に減衰遮断することができる。
【００１４】
請求項３の発明では、エンジンは、気筒内燃焼室に燃料を直接、噴射供給する高圧インジェクタを備えた直噴ディーゼルエンジンであり、燃料供給系は、前記高圧インジェクタに接続されたコモンレールを有するものとする。そして、冷却水ホースを前記コモンレールの近傍に配置するとともに、該コモンレールの少なくとも上方を内側遮音部材で覆う構成とする。この構成により、高圧インジェクタの芯弁の着座音等がコモンレールから放射されても、この放射騒音を効果的に減衰遮断することができる。
【００１５】
請求項４の発明では、請求項１における遮音カバーをエンジンに固定するためのマウント部材を設け、該マウント部材を、遮音カバーの外側カバー部材及び内側遮音部材を重ねて貫通するカラーと、このカラーに内挿されかつエンジンに締結される締結ボルトとを有するものとし、前記カラーの外側を前記外側カバー部材の貫通孔に内嵌合させる一方、内側端部に内側遮音部材を外側カバー部材に対し保持する保持部を設ける構成とする。
【００１６】
この構成によれば、遮音カバーをエンジンに固定するためのマウント部材を利用して、遮音カバーの外側カバー部材と内側遮音部材とを接着しなくても、該内側遮音部材を外側カバー部材に対して保持させることができる。このため、遮音カバーを廃棄するときには、材質の異なる外側カバー部材と内側吸音部材とを容易に分離させて、別々に処理することができるので、廃棄処分における作業性を向上させて、廃棄コストを低減できる。また、内側吸音部材だけが先に劣化したとしても、その劣化した内側吸音部材だけの交換が容易に行える。つまり、遮音カバーの環境性能の向上が図られる。
【００１７】
【発明の実施の形態】
図１〜図４において、１は本発明の実施形態に係る４気筒直噴型ディーゼルエンジンであって、このエンジン１は４つの気筒２，２，…を有するシリンダブロック３と、その上に組み付けられたシリンダヘッド４と、該シリンダヘッド４上面に組み付けられたシリンダヘッドカバー５と、シリンダブロック３の下面に組み付けられたオイルパン６とを有する。各気筒２内には、燃焼室を区画しかつクランク軸７に連結されるピストン８が往復動可能に嵌挿され、この気筒２内の燃焼室に燃料噴射ノズル９から燃料がダイレクトに噴射供給されるようになっている。尚、図１における符号１０は吸気弁を示し、また、符号１１は排気弁を示している。
【００１８】
そして、このエンジン１は、車両における車室前方のエンジンルーム（いずれも図示せず）に、クランク軸７（出力軸）が車幅方向に延びるように横置きに搭載され、その車体前側（図１及び図２における右側）にはエンジン１の各気筒２内の燃焼室に吸気を供給する吸気マニホルド１３と、エンジン１の各気筒２毎の燃料噴射ノズル９に高圧配管１５（図３及び図４のみに示す）を介して高圧の燃料を圧送供給する燃料噴射ポンプ１４とが配設されている。一方、エンジン１の車体後側（図１及び図２における左側）には、気筒２内の燃焼室から排気ガスを排出するための排気マニホルド１６が配設されている。
【００１９】
前記クランク軸７の一端部には、図２に示すように、歯付プーリからなるクランクプーリ１９が回転一体に取付固定されている。このクランクプーリ１９と、エンジン１に内蔵したウォータポンプ（図示せず）の回転軸２０ａに取付けた歯付プーリからなるウォータポンププーリ２０と、エンジン１のカム軸２１の一端部に取付けた歯付プーリからなるカムプーリ２２と、前記燃料噴射ポンプ１４の回転軸１４ａに取付けた歯付プーリからなる燃料噴射ポンププーリ２３との間に、歯付ベルト２４（タイミングベルト）が巻き掛けられており、クランク軸７の駆動によりウォータポンプ、カム軸２１及び燃料噴射ポンプ１４をそれぞれ同期して回転させるようになっている。
【００２０】
また、エンジン１の車体前側には、発電用のオルタネータ２６と空調機用のコンプレッサ（本体は図示せず）とが上側から下側に向かって順に配置され、オルタネータ２６の回転軸２６ａにはＶプーリからなるプーリ２８が、またコンプレッサの回転軸２７には同様のプーリ２９がそれぞれ回転一体に取付固定されている。これら両プーリ２８，２９と、クランク軸７の一端部において前記クランクプーリ１９よりも外側に取付けられた駆動プーリ３０との間にはＶベルトからなる駆動ベルト３１が巻き掛けられており、オルタネータ２６及びコンプレッサ等の補機類を駆動するようになっている。
【００２１】
図３及び図４に示す如く、エンジン１よりも車体前方（両図の下方）の車両前端部には、ラジエータ３３が配設されている。このラジエータ３３とエンジン１とは、冷却水パイプ３４及びアッパーホース３５（冷却水ホース）並びにロアホース３６によってそれぞれ接続されており、エンジン１のウォータジャケット内の高温の冷却水が前記冷却水パイプ３４及びアッパーホース３５によって、ラジエータ３３に排出される一方、ウォータポンプの動作により、ラジエータ３３で冷やされた低温の冷却水が前記ロワホース３６によってエンジン１のウォータジャケットに戻されるようになっている。
【００２２】
詳しくは、前記冷却水パイプ３４の後端部はエンジン１のシリンダヘッド４の一端部に固定される一方、前端側は燃料噴射ポンプ１４の車体前側まで延びて、燃料噴射ポンプ１４に沿うように車体左側に向かって湾曲している。そして、該湾曲部３４ａに近い冷却水パイプ３４の前端部にアッパーホース３５の後端部が接続されていて、このアッパーホース３５は前記燃料噴射ポンプ１４の車体前側に隣接するように車幅方向に向かって延び、途中から車体前方に向かって湾曲して、前端部がラジエータ３３に接続されている。言い換えると、前記冷却水パイプ３４及びアッパーホース３５は、燃料噴射ポンプ１４の車体右側及び車体前側を取り囲むように配置されている。また、その冷却水パイプ３４における湾曲部３４ａの外側側面には外方に向かって突出するブラケット連結部３７が、また湾曲部３４ａの内側側面には上側に突出するカバー連結部３９（図１参照）がそれぞれ一体に形成され、この各連結部３７，３９にはそれぞれ上下方向に貫通する取付孔３８，４０が形成されている。
【００２３】
さらに、前記燃料噴射ポンプ１４は、図４にも示すように、エンジン１の車体前側面における車体右側寄りの位置にシリンダブロック３及びシリンダヘッド４に亘って、例えば鋳鉄製のポンプブラケット４２により取付固定されている。この燃料噴射ポンプ１４には、エンジン１の各気筒２毎の噴射噴射ノズル９に高圧の燃料を分配供給する４本の高圧配管１５，１５，…が接続されるとともに、図外の燃料タンクと連通する燃料供給管１６及び燃料戻し管１７が接続されている。また、前記ポンプブラケット４２の上部には、車体前方に向かって延びる延長部が設けられ、該延長部の上面に、前記冷却水パイプ３４における湾曲部３４ａのブラケット連結部３７の貫通孔３８に対応して、ボルト孔４３が形成されている。そして、このボルト孔４３と冷却水パイプ３４のブラケット連結部３７の貫通孔３８とを上下に一致させて、この両者に図２に示すように締結ボルト４４を挿通螺合することで、ポンプブラケット４２と冷却水パイプ３４とを一体的に連結するようにしている。
【００２４】
本発明の特徴部分として、図３に示す如く上方から見て、エンジン１のシリンダヘッドカバー５上方から車体前方の燃料噴射ポンプ１４上方にかけての範囲全体を覆うように、該燃料噴射ポンプ１４の運転音やエンジン１の燃焼音等を遮断しかつ吸収するための遮音カバー４６が配設されている。この遮音カバー４６は、車体前後方の向略中央部において、２つの支持部４７，４７にてエンジン１のシリンダヘッドカバー５に取付けられている一方、遮音カバー４６の前部は、図１や図５にも示すように、車体前側でかつ右側寄りの１つの支持部４８にて前記冷却水パイプ３４の湾曲部３４ａ内側にあるカバー連結部３９に取付けられている。
【００２５】
この各支持部４７，４８は、図６にも示すように、いずれも下側に凹陥する有底筒状のもので、その各々の底部にはそれぞれゴムブッシュ４９及びカラー部材５０を嵌め込んだボルト孔５１が形成されている。そして、図１や図５に示すように、このボルト孔５１と、シリンダヘッドカバー５の取付孔５ａ、又は冷却水パイプ３４の湾曲部３４ａ内側のカバー連結部３９における貫通孔４０とを一致させて、両者に前記カラー部材５０を通して締結ボルト５２を挿通螺合することで、遮音カバー４６がシリンダヘッドカバー５及び冷却水パイプ３４に対し取付け固定されている。前記ゴムブッシュ４９，カラー部材５０及び締結ボルト５２により、遮音カバー４６をエンジン１に固定するためのマウント部材が構成されている。
【００２６】
また、遮音カバー４６は、図１、図５〜図７に示すように、樹脂製の外側カバー部材５４とウレタン製の内側遮音部材５５とからなるもので、外側カバー部材５４の周縁部には下側に垂れ下がったフランジが設けられていて、このフランジに囲まれるように、外側カバー部材５４の内側面に内側遮音部材５５が重ね合されている。この内側遮音部材５５は、特に１〜１０キロヘルツの騒音の透過を効果的に遮断する高密度のウレタンゴムからなり、車体後側の後半部分がシリンダヘッドカバー５の上面に密着して放射音を減衰遮断するとともに、このシリンダヘッドカバー５の振動自体を抑える制振機能も発揮する。
【００２７】
一方、前記内側遮音部材５５の車体前側の前半部分は、図７に明らかなように、燃料噴射ポンプ１４の上方を略完全に覆っていて、この燃料噴射ポンプ１４や吸気マニホルド１３の上部にまで至る十分な厚みを有し、該燃料噴射ポンプ１４の発する作動音を効果的に減衰遮断するようになっている。また、前記内側遮音部材５５の車体前側の周縁部５５ａは外側カバー部材８４のフランジよりも下方に向かって延び、アッパーホース３５の上半分を覆うように密着状態で当接している。言い換えると、内側遮音部材５５の前側周縁部５５ａは、アッパーホース３５により当接状態で弾性的に支持されている。
【００２８】
また、前記内側遮音部材５５における車体前側かつ車体右側寄りの周縁部５５ａの前端部には、アッパーホース３５よりも下方に延びて燃料噴射ポンプ１４の上下方向略中央部の付近に至る舌状の壁部５５ｂが設けられている。そして、この舌状壁部５５ｂは、車体前方のラジエータ３３を通過した熱風から燃料噴射ポンプ１４を遮蔽して、燃料や燃料噴射ポンプ１４自体の温度上昇を抑制するという機能を有する。
【００２９】
さらに、前記内側遮音部材５５は、遮音カバー４６をエンジン１に固定する締結ボルト５２のカラー部材５０によって、外側カバー部材５４に固定されている。すなわち、前記図６に拡大して示すように、カラー部材５０は円筒部５０ａとその下端部に設けられた大径のつば部５０ｂとからなり、前記円筒部５０ａの上端側が、上述の如く、外側カバー部材５４の各支持部４７，４８の底部に形成されたボルト孔５１にゴムブッシュ４９を介して嵌合固定される一方、カラー部材５０下端のつば部５０ｂは、内側遮音部材５５を下方から支えて外側カバー部材５４に対して保持する保持部とされている。これにより、外側カバー部材５４と内側遮音部材５５とを接着しなくても、それらを一体として、エンジン１への組付け時にも容易に取り扱うことができる。
【００３０】
したがって、この実施形態においては、直噴ディーゼルエンジン１が車両前部のエンジンルームに横置きに搭載され、この横置きエンジン１の車体前側に高圧の燃料を圧送するための燃料噴射ポンプ１４が配置されているので、この燃料噴射ポンプ１４をエンジン１の後側に配置する場合よりも車室から遠ざけることができ、大きな作動音を発する直噴ディーゼルエンジン用の燃料噴射ポンプ１４であっても、車室内の騒音レベルを下げるとができる。
【００３１】
また、前記燃料噴射ポンプ１４の上方が遮音カバー４６により覆われるとともに、該燃料噴射ポンプ１４の車体右側から車体前側にかけてを冷却水パイプ３４及びアッパーホース３５が取り囲み、かつこのアッパーホース３５が燃料噴射ポンプ１４の車体前側に隣接するように配置されていて、このアッパーホース３５によって遮音カバー４６の内側遮音部材５５の周縁部５５ａが当接状態で支持されている。つまり、騒音の放射源である燃料噴射ポンプ１４を遮音カバー４６の内側遮音部材５５やアッパーホース３５等によって包み込むような構造になっているので、燃料噴射ポンプ１４から発せられる大きな作動音を効果的に減衰遮断することができる。
【００３２】
しかも、前記アッパーホース３５は適度な弾性を有するゴム製のものなので、前記のようにアッパーホース３５に内側遮音部材５５の周縁部５５ａを押し付けて保持させることで、該内側遮音部材５５を安定して保持しながら、走行風等による遮音カバー４６の振動を抑えて、びびり音の発生を防止することができる。そして、そのように、特別の部材を別途に用いることなく、既存の冷却水パイプ３４やアッパーホース３５を有効利用することで、前記の作用効果を容易にかつ低コストで実現できる。
【００３３】
さらに、前記遮音カバー４６の後半部分において、内側遮音部材５５がエンジン１のシリンダヘッドカバー５の上面に密着状態で当接されているので、高密度ウレタンゴムからなる内側遮音部材５５によりシリンダヘッドカバー５の振動を抑えて、騒音の発生そのものを軽減できる上に、このシリンダヘッドカバー５からの放射音を十分に減衰させて、車室内へ侵入する騒音や車外へ漏れる騒音をさらに低減させることができる。
【００３４】
加えて、前記遮音カバー４６を、外側カバー部材５４及び内側遮音部材５５からなるものとし、かつそれらを接着せずに、エンジン１へのマウント部材の一部を利用して組み付けるようにしている。このため、遮音カバー４６のエンジン１への組付け時の作業性を確保しながら、遮音カバー４６を廃棄するときには、材質の異なる外側カバー部材５４と内側吸音部材５５とを容易に分離させて、別々に処理することができ、これにより、廃棄処分のときの作業性を向上させて、廃棄コストを低減できる。また、内側吸音部材５５だけが先に劣化したとしても、その劣化した内側吸音部材５５のみの交換が容易に行える。つまり、遮音カバー４６の環境性能を向上できる。
【００３５】
さらにまた、前記のように、外側カバー部材５４に対し内側遮音部材５５を接着せず、容易に脱着できるようにしているので、その内側遮音部材５５として密度や材質の異なる複数種のものを予め準備し、その中から選択して組付けるようにすることが可能になる。また、騒音の遮断には高密度のものが効果的であることを考慮して、前記内側遮音部材５５として、密度や材質の異なる複数種の部材を層状に組付けて用いる用にすることも可能になり、このようにすれば、騒音の遮断性能と耐熱性能とを併せて向上できる。
【００３６】
尚、本発明は、エンジンの各気筒毎に高圧インジェクタを設け、この高圧インジェクタに対しコモンレールに蓄えた高圧の燃料を供給するようにした蓄圧式燃料供給系を備えたものにも適用可能であり、この場合には、高圧インジェクタの芯弁の着座音等がコモンレールを介して放射されることを考慮して、遮音カバー４６の内側遮音部材５５により少なくともコモンレールの上方を覆うとともに、冷却水パイプ３４やアッパーホース３５を、コモンレールの周囲を取り囲むように配置するようにすればよい。
【００３７】
【発明の効果】
以上説明した如く、請求項１の発明に係る横置き搭載エンジンの遮音構造によると、車両に、高圧の燃料供給系が設けられたエンジンを横置きに搭載する場合に、該燃料供給系の上方を覆うように遮音カバーを配設するとともに、燃料供給系に隣接するように冷却水ホースを配設し、この冷却水ホースによって前記遮音カバーの周縁部を当接状態で保持するようにしたことにより、騒音の放射源である燃料供給系を遮音カバーと冷却水ホースとによって包み込むような構造として、騒音を効果的に減衰遮断することができる。しかも、弾性部材からなる冷却水ホースに遮音カバーを押し付けて保持させることで、該遮音カバーの振動を抑えて、びびり音の発生を防止することができる。そして、そのようにして既存の冷却水パイプ等を有効利用することにより、前記の効果を容易にかつ低コストで実現できる。
【００３８】
また、遮音カバーを、ウレタン製の内側遮音部材を有するものとすることで、騒音を極めて効果的に減衰遮断できる。また、内側遮音部材を冷却水ホースに当接させることで、この冷却水ホースによる遮音カバーの保持性能が向上し、しかも、冷却水ホースまでを含めた騒音の減衰遮断性能をさらに高めることができる。
【００３９】
その上さらに、内側遮音部材の周縁部に、冷却水ホースとの当接部位よりもラジエータ側において該冷却水ホースよりも下方にまで延びる壁部を設けて、車体前方のラジエータを通過した熱風から燃料供給系の少なくとも一部を遮蔽することで、燃料供給系の温度上昇を抑制することができる。
【００４０】
請求項２の発明によると、燃料供給系の高圧燃料噴射ポンプから発せられる大きな作動音を効果的に減衰遮断できる。
【００４１】
請求項３の発明によると、インジェクタの芯弁の着座音等がコモンレールから放射されるような構造であっても、その放射騒音を効果的に減衰遮断できる。
【００４２】
請求項４の発明によると、遮音カバーをエンジンに固定するためのマウント部材を有効利用して、遮音カバーの外側カバー部材と内側遮音部材とを接着せずに、それらを一体的に組付けることができるようにしたので、エンジンへの組付け時の作業性を確保しながら、材質の異なる２つの部材を容易に分離させることができるようになり、よって、遮音カバーの環境性能を向上できる。
【図面の簡単な説明】
【図１】  本発明の実施形態においてエンジンに対する燃料噴射ポンプ、冷却水パイプ及び遮音カバーの配置構成を車両の右側から見た状態で示す一部破断側面図である。
【図２】  エンジンを補機類と共に車両の右側から見た状態で示す側面図である。
【図３】  エンジンに対する燃料噴射ポンプ、冷却水パイプ、遮音カバー及びラジエータの配置構成を示す平面図である。
【図４】  燃料噴射ポンプの配置状態を示す拡大平面図である。
【図５】  図３のＸ−Ｘ線断面図である。
【図６】  遮音カバーのマウント部材の構成を示す拡大断面図である。
【図７】  図３のＹ−Ｙ線断面図である。
【符号の説明】
１      エンジン
７      クランク軸（出力軸）
１４    燃料噴射ポンプ
３３    ラジエータ
３５    アッパーホース（冷却水ホース）
４６    遮音カバー
４９    ゴムブッシュ
５０    カラー部材
５０ｂ  つば部（保持部）
５２    締結ボルト
５４    外側カバー部材
５５    内側遮音部材
５５ａ  周縁部
【図１】
0004284780.tif 000002
【図２】
0004284780.tif 000003
【図３】
0004284780.tif 000004
【図４】
0004284780.tif 000005
【図５】
0004284780.tif 000006
【図６】
0004284780.tif 000007
【図７】
0004284780.tif 000008